(57)【要約】【課題】共通電極の電位を変動させる構成のもとで放電動作を必要とせずに電気光学素子の印加電圧の極性を適切に反転させる。【解決手段】高位側電位ＶHおよび低位側電位ＶLの一方から他方に単位期間Ｆ毎に順次に変動する反転用電位LCCOMXが反転用電位線２４に供給される。画素回路ＰIXは、画素電極５２および共通電極５４を含む液晶素子５０と、画素電極５２と反転用電位線２４との間に介在する第１制御スイッチＴC1とを含む。反転用電位LCCOMXの電位を反転させた共通電位LCCOMが共通電極５４に供給される。駆動回路は、液晶素子５０に対する電圧ＶAの印加後に共通電位LCCOMが変動する反転期間Ｗにて第１制御スイッチＴC1をオン状態に制御し、液晶素子５０に対する電圧ＶB（ＶB＜ＶA）の印加後に共通電位LCCOMが変動する反転期間Ｗにて第１制御スイッチＴC1をオフ状態に制御する。【選択図】図２
2011027892.tif 000002
【特許請求の範囲】
【請求項１】
高位側電位および低位側電位の一方から他方に単位期間毎に順次に変動する反転用電位が供給される反転用電位線と、
前記反転用電位が前記高位側電位となる単位期間にて前記低位側電位に設定されて前記反転用電位が前記低位側電位となる単位期間にて前記高位側電位に設定される共通電位が供給される共通電極と画素電極とを含む電気光学素子と、
前記画素電極と前記反転用電位線との接続を制御する第１制御スイッチと
を具備する電気光学装置の駆動方法であって、
指定階調に応じた階調電位を前記単位期間にて前記画素電極に供給する一方、
前記電気光学素子の両電極間の電圧が第１電圧となる階調電位を供給した場合、当該階調電位の供給以後に前記共通電位が変動する時点を含む期間にて前記第１制御スイッチをオン状態に制御し、
前記電気光学素子の両電極間の電圧が前記第１電圧とは異なる第２電圧となる階調電位を供給した場合、当該階調電位の供給以後に前記共通電位が変動する時点を含む期間にて前記第１制御スイッチをオフ状態に制御する
電気光学装置の駆動方法。
【請求項２】
高位側電位および低位側電位の一方から他方に単位期間毎に順次に変動する反転用電位が供給される反転用電位線と、
前記反転用電位が前記高位側電位となる単位期間にて前記低位側電位に設定されて前記反転用電位が前記低位側電位となる単位期間にて前記高位側電位に設定される共通電位が供給される共通電極と画素電極とを含む電気光学素子と、
前記画素電極と前記反転用電位線との接続を制御する第１制御スイッチと
を具備する電気光学装置。
【請求項３】
駆動回路を具備し、
前記駆動回路は、
指定階調に応じた階調電位を前記単位期間にて前記画素電極に供給する一方、
前記電気光学素子の両電極間の電圧が第１電圧となる階調電位を供給した場合、当該階調電位の供給以後に前記共通電位が変動する時点を含む期間にて前記第１制御スイッチをオン状態に制御し、
前記電気光学素子の両電極間の電圧が前記第１電圧とは異なる第２電圧となる階調電位を供給した場合、当該階調電位の供給以後に前記共通電位が変動する時点を含む期間にて前記第１制御スイッチをオフ状態に制御する
請求項２の電気光学装置。
【請求項４】
前記第１制御スイッチを制御する制御信号が供給される制御線と、
前記第１制御スイッチのゲートと前記制御線との接続を制御する第２制御スイッチと、
前記第１制御スイッチのゲートの電位を保持する第１制御用容量と
を具備する請求項２または請求項３の電気光学装置。
【請求項５】
前記共通電位が供給される共通電位線と、
前記共通電位線と前記画素電極との間に介在する保持容量と、
前記第１制御スイッチのゲートと前記共通電位線との間に介在する第２制御用容量と
を具備し、
前記第１制御用容量は、前記第１制御スイッチのゲートと前記反転用電位線との間に介在する
請求項４の電気光学装置。
【請求項６】
相交差する走査線および信号線と、
前記走査線の選択時に前記信号線と前記画素電極とを接続する選択スイッチと
を具備し、
前記選択スイッチと前記第２制御スイッチとは共通の信号で制御される
請求項４または請求項５の電気光学装置。
【請求項７】
相交差する複数の走査線および複数の信号線と、
高位側電位および低位側電位の一方から他方に単位期間毎に順次に変動する反転用電位が供給される反転用電位線と、
前記複数の走査線と前記複数の信号線との各交差に対応して配置された複数の画素回路と、
前記各画素回路を駆動する駆動回路とを具備し、
前記複数の画素回路の各々は、
前記反転用電位が前記高位側電位となる単位期間にて前記低位側電位に設定されて前記反転用電位が前記低位側電位となる単位期間にて前記高位側電位に設定される共通電位が供給される共通電極と画素電極とを含む電気光学素子と、
前記走査線の選択時に前記信号線と前記画素電極とを接続する選択スイッチと、
前記画素電極と前記反転用電位線との接続を制御する第１制御スイッチとを含み、
前記駆動回路は、
前記単位期間にて前記複数の走査線の各々を順次に選択するとともに当該走査線に対応する前記各画素回路の指定階調に応じた階調電位を前記複数の信号線の各々に供給する一方、
前記複数の画素回路の各々について、
前記電気光学素子の両電極間の電圧が第１電圧となる階調電位を供給した場合、当該階調電位の供給以後に前記共通電位が変動する時点を含む期間にて前記第１制御スイッチをオン状態に制御し、
前記電気光学素子の両電極間の電圧が前記第１電圧とは異なる第２電圧となる階調電位を供給した場合、当該階調電位の供給以後に前記共通電位が変動する時点を含む期間にて前記第１制御スイッチをオフ状態に制御する
電気光学装置。
【請求項８】
請求項２から請求項７の何れかの電気光学装置を具備する電子機器。
【請求項９】
高位側電位および低位側電位の一方から他方に単位期間毎に順次に変動する反転用電位が供給される反転用電位線と、
前記反転用電位が前記高位側電位となる単位期間にて前記低位側電位に設定されて前記反転用電位が前記低位側電位となる単位期間にて前記高位側電位に設定される共通電位が供給される共通電極と画素電極とを含む電気光学素子と、
前記画素電極と前記反転用電位線との接続を制御する第１制御スイッチと
を具備する電気光学装置の駆動回路であって、
指定階調に応じた階調電位を前記単位期間にて前記画素電極に供給する一方、
前記電気光学素子の両電極間の電圧が第１電圧となる階調電位を供給した場合、当該階調電位の供給以後に前記共通電位が変動する時点を含む期間にて前記第１制御スイッチをオン状態に制御し、
前記電気光学素子の両電極間の電圧が前記第１電圧とは異なる第２電圧となる階調電位を供給した場合、当該階調電位の供給以後に前記共通電位が変動する時点を含む期間にて前記第１制御スイッチをオフ状態に制御する
電気光学装置の駆動回路。
【発明の詳細な説明】
【技術分野】
【０００１】
本発明は、液晶素子などの電気光学素子を駆動する技術に関する。
【背景技術】
【０００２】
液晶素子などの電気光学素子の駆動には、画素電極と共通電極（対向電極）との間の電圧の極性を順次に反転させる交流駆動が採用される。例えば特許文献１には、共通電極の電位を変動させて液晶素子の印加電圧の極性を反転させることで、指定階調に応じて信号線から画素電極に供給される電位（以下「階調電位」という）の振幅を低減する技術が開示されている。
【０００３】
しかし、特許文献１の技術では、共通電極の電位に連動して画素電極の電位が変動するから、信号線と画素電極との接続を制御する選択スイッチの抵抗が低下する可能性がある。例えば、選択スイッチをＮチャネル型のトランジスタで構成した場合、共通電極の電位に連動して画素電極の電位が低下すると、選択スイッチのゲート−ソース間の電圧が上昇してオン状態に遷移する。したがって、電気光学素子に保持された電荷が放電されるという問題がある。以上の問題を回避するには、選択スイッチのゲート（走査線）の電位の振幅を充分に確保することで、選択スイッチの書込み能力（低いオン抵抗）と絶縁能力（高いオフ抵抗）とを担保する必要が生じる。
【０００４】
特許文献１の問題を解決するための技術として、特許文献２には、各液晶素子に対する階調電位の供給後で共通電極の電位の反転前の期間（全走査線選択期間）内に、各液晶素子に保持された電荷を放電する動作（以下「放電動作」という）を実行する技術が開示されている。
【先行技術文献】
【特許文献】
【０００５】
【特許文献１】特開平８−３３４７４１号公報
【特許文献２】特開２００４−１０９８２４号公報
【特許文献３】特開２００６−８４８４６号公報
【発明の概要】
【発明が解決しようとする課題】
【０００６】
しかし、特許文献２の技術では、共通電極の電位の反転前に各電気光学素子の電荷が放電されるから、電荷を放電しない構成と比較して画像のコントラスト（明暗差）が低下するという問題がある。例えば、ノーマリ−ブラックモードの液晶素子を電気光学素子として採用した構成では、最高階調（例えば白色）に制御された各電気光学素子が放電動作で最低階調（例えば黒色）に制御されるから、実際に観察者が知覚する階調は、目標の階調と比較して低い階調となる。
【０００７】
なお、例えば特許文献３に開示されるように、電気光学素子の点灯／消灯を指示するデータを保持する記憶回路が画素回路に内蔵された構成によれば、放電動作を実行することなく電気光学素子の印加電圧の極性を適切に反転することが可能である。しかし、多数の素子が必要な記憶回路を画素回路に内蔵する必要があるから、画素の高精細化が制限されるという問題がある。
【０００８】
また、閾値電圧が高いトランジスタを選択スイッチとして利用すれば、共通電極の電位に連動して画素電極の電位が変動した場合でも選択スイッチをオフ状態に維持することが可能である。しかし、選択スイッチを制御する走査信号の振幅を増加させる必要があるから、高耐圧の駆動回路が必要になるという問題や、駆動回路の消費電力が増大するという問題が発生し得る。
【０００９】
以上の事情を考慮して、本発明は、共通電極の電位を変動させる構成のもとで放電動作を必要とせずに電気光学素子の印加電圧の極性を適切に反転させることを目的とする。
【課題を解決するための手段】
【００１０】
以上の課題を解決するために、本発明に係る電気光学装置は、高位側電位および低位側電位の一方から他方に単位期間毎に順次に変動する反転用電位が供給される反転用電位線と、反転用電位が高位側電位となる単位期間にて低位側電位に設定されて反転用電位が低位側電位となる単位期間にて高位側電位に設定される共通電位が供給される共通電極と画素電極とを含む電気光学素子と、画素電極と反転用電位線との接続を制御する第１制御スイッチ（例えば図２や図１３の第１制御スイッチＴC1）とを具備する。以上の態様においては、共通電極の共通電位とは高低が逆転した反転用電位が供給される反転用電位線と画素電極との導通／非導通が第１制御スイッチで制御される。したがって、電気光学素子の両電極間に対する電圧の印加以後に第１制御スイッチをオン状態に制御する（画素電極に反転用電位を供給する）ことで、共通電位を反転させて電気光学素子の両電極間の電圧の極性を反転させた場合でも電気光学素子の階調は維持される。以上の構成においては、特許文献２の技術で必要となる放電動作が不要であるから、放電動作に起因したコントラストの低下が抑制されるという利点がある。なお、本発明により放電動作が原理的に不要になるとは言え、本発明の構成のもとで放電動作を実行する態様を本発明の範囲から排除する趣旨ではない。
【００１１】
本発明の好適な態様に係る電気光学装置は、駆動回路を具備し、駆動回路は、指定階調に応じた階調電位を単位期間にて画素電極に供給する一方、電気光学素子の両電極間の電圧が第１電圧となる階調電位を供給した場合、当該階調電位の供給以後に共通電位が変動する時点を含む期間にて第１制御スイッチをオン状態に制御し、電気光学素子の両電極間の電圧が第１電圧とは異なる第２電圧となる階調電位を供給した場合、当該階調電位の供給以後に共通電位が変動する時点を含む期間にて第１制御スイッチをオフ状態に制御する。以上の態様においては、電気光学素子に第１電圧を印加した場合の共通電位の変動時に第１制御スイッチがオン状態に制御され、電気光学素子に第２電圧を印加した場合の共通電位の変動時に第１制御スイッチがオフ状態に制御される。したがって、第１電圧の印加時および第２電圧の印加時の何れにおいても、電気光学素子の階調を維持したまま印加電圧の極性を反転させることが可能である。なお、第１電圧は、例えば、ノーマリーブラックモードの白色に対応する電圧やノーマリーホワイトモードの黒色に対応する電圧であり、第２電圧は、例えば、ノーマリーブラックモードの黒色に対応する電圧やノーマリーホワイトモードの白色に対応する電圧である。
【００１２】
本発明の好適な態様に係る電気光学装置は、第１制御スイッチを制御する制御信号が供給される制御線と、第１制御スイッチのゲートと制御線との接続を制御する第２制御スイッチ（例えば図２や図１３の第２制御スイッチＴC2）と、第１制御スイッチのゲートの電位を保持する第１制御用容量（例えば図２や図１３の制御用容量Ｃ1）とを具備する。以上の態様においては、第１制御スイッチを制御する制御信号の電位が第１制御用容量に保持されるから、共通電位の変動時を含む期間にて第１制御スイッチを継続的にオン状態またはオフ状態に維持することが可能である。さらに好適な態様に係る電気光学装置は、共通電位が供給される共通電位線と、共通電位線と画素電極との間に介在する保持容量と、第１制御スイッチのゲートと共通電位線との間に介在する第２制御用容量（例えば図１３の制御用容量Ｃ2）とを具備し、第１制御用容量は、第１制御スイッチのゲートと反転用電位線との間に介在する。以上の態様においては、第１制御スイッチのゲートの電位に対する共通電位の作用と反転用電位の作用とが相殺されるから、第１制御スイッチのゲートの電位が有効に保持される。他方、第１制御用容量における第１制御スイッチとは反対側の電極は反転用電位線に接続され、第２制御用容量における第１制御スイッチとは反対側の電極は共通電位線に接続されるから、第１制御スイッチのゲートの電位の保持に専用される配線（例えば図２の容量線２６）は不要である。したがって、電気光学装置の構成が簡素化されるという利点がある。
【００１３】
本発明の好適な態様に係る電気光学装置は、相交差する走査線および信号線と、走査線の選択時に信号線と画素電極とを接続する選択スイッチとを具備し、選択スイッチと第２制御スイッチとは共通の信号（例えば走査信号Ｙ[m]）で制御される。以上の態様においては、選択スイッチと第２制御スイッチとが共通の信号で制御されるから、双方が別個の信号で制御される構成と比較して電気光学装置の構成の簡素化（配線数の削減）が実現される。
【００１４】
本発明の具体的な態様に係る電気光学装置は、相交差する複数の走査線および複数の信号線と、高位側電位および低位側電位の一方から他方に単位期間毎に順次に変動する反転用電位が供給される反転用電位線と、複数の走査線と複数の信号線との各交差に対応して配置された複数の画素回路と、各画素回路を駆動する駆動回路とを具備し、複数の画素回路の各々は、反転用電位が高位側電位となる単位期間にて低位側電位に設定されて反転用電位が低位側電位となる単位期間にて高位側電位に設定される共通電位が供給される共通電極と画素電極とを含む電気光学素子と、走査線の選択時に信号線と画素電極とを接続する選択スイッチと、画素電極と反転用電位線との接続を制御する第１制御スイッチとを含み、駆動回路は、単位期間にて複数の走査線の各々を順次に選択するとともに当該走査線に対応する各画素回路の指定階調に応じた階調電位を複数の信号線の各々に供給する一方、複数の画素回路の各々について、電気光学素子の両電極間の電圧が第１電圧となる階調電位を供給した場合、当該階調電位の供給以後に共通電位が変動する時点を含む期間にて第１制御スイッチをオン状態に制御し、電気光学素子の両電極間の電圧が第１電圧とは異なる第２電圧となる階調電位を供給した場合、当該階調電位の供給以後に共通電位が変動する時点を含む期間にて第１制御スイッチをオフ状態に制御する。以上の態様でも、特許文献２の放電動作が不要であるという所期の効果が実現される。
【００１５】
以上の各態様に係る電気光学装置は各種の電子機器に利用される。電子機器の典型例は、電気光学装置を表示装置として利用した機器である。具体的には携帯電話機や携帯情報端末が本発明の電子機器として例示される。また、光源からの出射光を変調する光変調体として以上の各態様の電気光学装置を利用した投写型表示装置も本発明の電子機器の概念に包含される。投写型表示装置は、光線を出射する光源と、光源からの出射光を変調する以上の各態様の電気光学装置と、電気光学装置による変調光を投射面に投射する光学系とを具備する。
【００１６】
本発明は、以上の各態様に係る電気光学装置の駆動方法としても特定される。本発明に係る駆動方法は、指定階調に応じた階調電位を単位期間にて画素電極に供給する一方、電気光学素子の両電極間の電圧が第１電圧となる階調電位を供給した場合、当該階調電位の供給以後に共通電位が変動する時点を含む期間にて第１制御スイッチをオン状態に制御し、電気光学素子の両電極間の電圧が第１電圧とは異なる第２電圧となる階調電位を供給した場合、当該階調電位の供給以後に共通電位が変動する時点を含む期間にて第１制御スイッチをオフ状態に制御する。以上の駆動方法によれば本発明の電気光学装置と同様の効果が実現される。
【００１７】
他の態様に係る駆動方法は、高位側電位および低位側電位の一方から他方に単位期間毎に順次に変動する反転用電位が供給される反転用電位線と、反転用電位が高位側電位となる単位期間にて低位側電位に設定されて反転用電位が低位側電位となる単位期間にて高位側電位に設定される共通電位が供給される共通電極と画素電極とを含む電気光学素子とを具備する電気光学装置の駆動方法であって、電気光学素子の両電極間の電圧が第１電圧となる階調電位を供給した場合、当該階調電位の供給以後に共通電位が変動する時点を含む期間にて画素電極に反転用電位を供給し、電気光学素子の両電極間の電圧が第１電圧とは異なる第２電圧となる階調電位を供給した場合、当該階調電位の供給以後に共通電位が変動する時点を含む期間にて画素電極に対する反転用電位の供給を禁止する。
【００１８】
また、本発明に係る電気光学装置の駆動回路は、指定階調に応じた階調電位を単位期間にて画素電極に供給する一方、電気光学素子の両電極間の電圧が第１電圧となる階調電位を供給した場合、当該階調電位の供給以後に共通電位が変動する時点を含む期間にて第１制御スイッチをオン状態に制御し、電気光学素子の両電極間の電圧が第１電圧とは異なる第２電圧となる階調電位を供給した場合、当該階調電位の供給以後に共通電位が変動する時点を含む期間にて第１制御スイッチをオフ状態に制御する。以上の駆動回路によれば本発明の電気光学装置と同様の効果が実現される。
【図面の簡単な説明】
【００１９】
【図１】本発明の第１実施形態に係る電気光学装置のブロック図である。
【図２】画素回路の回路図である。
【図３】共通電位および反転用電位と単位期間との関係を示すタイミングチャートである。
【図４】液晶素子の印加電圧と階調（透過率，反射率）との関係を示すグラフである。
【図５】信号線駆動回路のブロック図である。
【図６】信号線駆動回路の動作の説明図である。
【図７】液晶素子の電圧を正極性から負極性に変化させる場合のタイミングチャートである。
【図８】黒色を表示する場合の画素回路の動作の説明図である。
【図９】白色を表示する場合の画素回路の動作の説明図である。
【図１０】液晶素子の電圧を負極性から正極性に変化させる場合のタイミングチャートである。
【図１１】黒色を表示する場合の画素回路の動作の説明図である。
【図１２】白色を表示する場合の画素回路の動作の説明図である。
【図１３】第２実施形態に係る電気光学装置の画素回路の回路図である。
【図１４】電子機器の形態（パーソナルコンピュータ）を示す斜視図である。
【図１５】電子機器の形態（携帯電話機）を示す斜視図である。
【図１６】電子機器の形態（携帯情報端末）を示す斜視図である。
【発明を実施するための形態】
【００２０】
＜Ａ：第１実施形態＞
図１は、本発明の第１実施形態に係る電気光学装置１００のブロック図である。電気光学装置１００は、画像を表示する表示体として様々な電子機器に採用される液晶装置である。図１に示すように、電気光学装置１００は、複数の画素回路ＰIXが平面状に配列された素子部（表示領域）１０と、各画素回路ＰIXを駆動する駆動回路３０と、各画素回路ＰIXの駆動用の電位を生成する電位生成回路４２と、駆動回路３０や電位生成回路４２を制御する制御回路４４とを具備する。
【００２１】
素子部１０には、Ｘ方向に延在するＭ本の走査線１２と、Ｘ方向に交差するＹ方向に延在するＮ本の信号線１４とが形成される（ＭおよびＮは自然数）。複数の画素回路ＰIXは、各走査線１２と各信号線１４との交差に対応して配置されて縦Ｍ行×横Ｎ列の行列状に配列する。また、素子部１０には、各信号線１４に対応してＹ方向に延在するＮ本の制御線１６が形成され、各走査線１２に対応してＸ方向に延在するＭ本の共通電位線２２とＭ本の反転用電位線２４とＭ本の容量線２６とが形成される。
【００２２】
図２は、各画素回路ＰIXの回路図である。図２においては、第ｍ行（ｍ＝１〜Ｍ）の第ｎ列（ｎ〜１〜Ｎ）に位置する１個の画素回路ＰIXが代表的に図示されている。図２に示すように、画素回路ＰIXは、液晶素子５０と３個のスイッチ（選択スイッチＴSL，第１制御スイッチＴC1，第２制御スイッチＴC2）と２個の容量素子（保持容量ＣS，制御用容量Ｃ1）とを含んで構成される。各スイッチ（ＴSL，ＴC1，ＴC2）は、例えば素子基板の面上に形成された任意の導電型（本形態ではＮチャネル型）の薄膜トランジスタで構成される。ただし、相補型のトランジスタ（例えばトランスファーゲート）を各スイッチ（ＴSL，ＴC1，ＴC2）として採用すれば、各々の駆動に必要な電圧を低減することも可能である。
【００２３】
液晶素子５０は、画素電極５２と共通電極（対向電極）５４と両電極間の液晶５６とで構成される電気光学素子である。画素電極５２は、素子基板（図示略）の面上に画素回路ＰIX毎に独立に形成され、共通電極５４は、素子基板に対向する対向基板（図示略）の面上に複数の画素回路ＰIXにわたって共通に形成される（図１参照）。画素電極５２と共通電極５４との間の液晶５６は、両電極間の電圧に応じて階調（透過率や反射率）が変化する。第１実施形態の液晶５６は、垂直配向型（ＶＡ(Vertical Alignment)）に設定され、画素電極５２と共通電極５４との間の電圧がゼロである場合に階調が最低（黒色）となるノーマリーブラックモードで動作する。液晶素子５０の両電極間の電圧の極性は順次に反転する（詳細は後述する）。
【００２４】
第ｎ列の各画素回路ＰIXの選択スイッチＴSLは、画素電極５２と第ｎ列の信号線１４との間に介在して両者の電気的な接続（導通／非導通）を制御する。第ｍ行の各画素回路ＰIXの保持容量ＣSは、画素電極５２と第ｍ行の共通電位線２２との間に介在する（すなわち、液晶素子５０に対して並列に配置された）静電容量である。具体的には、保持容量ＣSは、画素電極５２に接続された電極ＥA1と共通電位線２２に接続された電極ＥA2と両電極間の誘電体とで構成される。保持容量ＣSは、画素電極５２の電位（液晶素子５０の印加電圧）を保持する要素として機能する。
【００２５】
第ｍ行の各画素回路ＰIXの第１制御スイッチＴC1は、画素電極５２と第ｍ行の反転用電位線２４との間に介在して両者の電気的な接続を制御する。第ｍ行の各画素回路ＰIXの制御用容量Ｃ1は、第１制御スイッチＴC1のゲートと第ｍ行の容量線２６との間に介在する静電容量である。具体的には、制御用容量Ｃ1は、第１制御スイッチＴC1のゲートに接続された電極ＥB1と容量線２６に接続された電極ＥB2と両電極間の誘電体とで構成される。制御用容量Ｃ1は、第１制御スイッチＴC1のゲートの電位を保持する要素として機能する。
【００２６】
第ｎ列の各画素回路ＰIXの第２制御スイッチＴC2は、第１制御スイッチＴC1のゲートと第ｎ列の制御線１６との間に介在して両者の電気的な接続を制御する。第ｍ行の各画素回路ＰIXにおける選択スイッチＴSLおよび第２制御スイッチＴC2の各々のゲートは第ｍ行の走査線１２に共通に接続される。選択スイッチＴSLと第２制御スイッチＴC2とは導電型が共通するから、選択スイッチＴSLと第２制御スイッチＴC2とは同じ状態（オン状態／オフ状態）に制御される。
【００２７】
図１の制御回路４４は、電気光学装置１００の動作を規定する各種の信号を生成して駆動回路３０および電位生成回路４２に供給する。例えば、制御回路４４は、液晶素子５０の印加電圧の極性を反転させる単位となる期間（以下「単位期間」という）を規定する同期信号ＳVや、各単位期間における液晶素子５０の印加電圧の極性（正極性／負極性）を指定する極性信号ＳPを、駆動回路３０や電位生成回路４２に出力する。また、制御回路４４は、各画素回路ＰIX（各液晶素子５０）の階調を指定する画像信号ＶIDを生成して駆動回路３０（信号線駆動回路３４）に供給する。
【００２８】
電位生成回路４２は、共通電位LCCOMおよび反転用電位LCCOMXと、正側階調電位ＶDATA[+]および負側階調電位ＶDATA[-]と、オン電位ＶONおよびオフ電位ＶOFFと、保持電位ＶSLとを生成する。共通電位LCCOMは、Ｍ本の共通電位線２２と対向基板上の共通電極５４とに対して共通に供給される。反転用電位LCCOMXは、Ｍ本の反転用電位線２４に共通に供給される。正側階調電位ＶDATA[+]および負側階調電位ＶDATA[-]とオン電位ＶONおよびオフ電位ＶOFFとは信号線駆動回路３４に供給される。保持電位ＶSLは、Ｍ本の容量線２６に共通に供給される所定の電位である。
【００２９】
図３に示すように、共通電位LCCOMは、制御回路４４が同期信号ＳVで規定する単位期間（例えばフィールド期間）Ｆ毎に、高位側電位ＶHおよび低位側電位ＶLの一方から他方に順次に変動する。高位側電位ＶHは低位側電位ＶLを上回る。電位生成回路４２は、極性信号ＳPが正極性（図３の正号(+)）を指示する単位期間Ｆでは共通電位LCCOMを低位側電位ＶLに設定し、極性信号ＳPが負極性（図３の負号(-)）を指示する単位期間Ｆでは共通電位LCCOMを高位側電位ＶHに設定する。共通電位LCCOMが低位側電位ＶLに設定された場合の液晶素子５０の印加電圧を正極性と定義し、共通電位LCCOMが高位側電位ＶHに設定された場合の液晶素子５０の印加電圧を負極性と定義する。
【００３０】
共通電位LCCOMと同様に、反転用電位LCCOMXは、高位側電位ＶHおよび低位側電位ＶLの一方から他方に単位期間Ｆ毎に順次に変動する。ただし、共通電位LCCOMと反転用電位LCCOMXとは電位の高低を反転させた関係にある。すなわち、共通電位LCCOMが高位側電位ＶHに設定される単位期間Ｆでは反転用電位LCCOMXが低位側電位ＶLに設定され、共通電位LCCOMが低位側電位ＶLに設定される単位期間Ｆでは反転用電位LCCOMXが高位側電位ＶHに設定される。図３には、共通電位LCCOMおよび反転用電位LCCOMXが高位側電位ＶHおよび低位側電位ＶLの一方から他方に変動している期間（以下「反転期間」という）Ｗが図示されている。
【００３１】
正側階調電位ＶDATA[+]および負側階調電位ＶDATA[-]は、液晶素子５０の階調の制御のために画素電極５２に供給される電位である。正側階調電位ＶDATA[+]は負側階調電位ＶDATA[-]を上回る。具体的には、正側階調電位ＶDATA[+]は高位側電位ＶHと同電位であり、負側階調電位ＶDATA[-]は低位側電位ＶLと同電位である。また、オン電位ＶONおよびオフ電位ＶOFFは、第１制御スイッチＴC1の制御に利用される電位である。第１制御スイッチＴC1は、ゲートに対するオン電位ＶONの供給でオン状態に遷移し、ゲートに対するオフ電位ＶOFFの供給でオフ状態に遷移する。
【００３２】
図１の駆動回路３０は、複数の画素回路ＰIXの各々を駆動することで各液晶素子５０の階調（透過率または反射率）を制御する。駆動回路３０による各画素回路ＰIXの駆動にはサブフィールド駆動が採用される。すなわち、駆動回路３０は、各単位期間Ｆを区分した複数のサブフィールドＳF（ＳF1，ＳF2，ＳF3）の各々にて各画素回路ＰIXの液晶素子５０に２種類の電圧（ＶA，ＶB）の何れかを印加する。図３に示すように、１個の単位期間Ｆは３個のサブフィールドＳF（ＳF1，ＳF2，ＳF3）に区分される。単位期間Ｆ内の３個のサブフィールドＳFの時間長は２進加重の関係（ＳF1：ＳF2：ＳF3＝１：２：４）にある。もっとも、単位期間Ｆ内のサブフィールドＳFの個数や時間長は任意に変更される。
【００３３】
図４は、液晶素子５０の両電極間の電圧（絶対値）と液晶素子５０の階調（透過率または反射率）との関係を示すグラフである。図４の電圧ＶAは、液晶素子５０の階調を変化させる電圧であり、電圧ＶBは、電圧ＶAとは異なる電圧（本実施形態では電圧ＶAを下回る電圧）である。電圧ＶBは典型的には０Ｖに設定される。図３に示すように、高位側電位ＶH（正側階調電位ＶDATA[+]）と低位側電位ＶL（負側階調電位ＶDATA[-]）との電位差が電圧ＶAに相当する。図４に示すように、液晶素子５０は、電圧ＶAの印加で階調ＧWに制御されるとともに電圧ＶBの印加で階調ＧBに制御される。液晶素子５０がノーマリーブラックモードで動作する本形態では、階調ＧWは最高の階調（白色）に相当し、階調ＧBは最低の階調（黒色）に相当する。単位期間Ｆのうち液晶素子５０に電圧ＶAを印加する時間と電圧ＶBを印加する時間との比率（サブフィールドＳFの個数比）が、各画素回路ＰIXの指定階調に応じて可変に制御される。
【００３４】
図１に示すように、駆動回路３０は、走査線駆動回路３２と信号線駆動回路３４とを含んで構成される。走査線駆動回路３２は、Ｍ本の走査線１２の各々を順次に選択する。具体的には、走査線駆動回路３２は、各走査線１２に走査信号Ｙ[1]〜Ｙ[M]を出力することで、各単位期間ＦのサブフィールドＳF内にてＭ本の走査線１２の各々を順次に選択する。第ｍ行の走査線１２に出力される走査信号Ｙ[m]は、第ｍ行の選択／非選択を指示する電圧信号である。すなわち、走査信号Ｙ[m]は、図３に示すように、各サブフィールドＳF内の第ｍ番目の水平走査期間Ｈ[m]にて選択電位ＶSEL_ON（走査線１２の選択を意味する電位）に設定され、他の期間にて非選択電位ＶSEL_OFF（走査線１２の非選択を意味する電位）に設定される。
【００３５】
図１の信号線駆動回路３４は、走査線駆動回路３２による各走査線１２の選択に同期して、階調信号Ｘ[1]〜Ｘ[N]を各信号線１４に出力するとともに制御信号Ｚ[1]〜Ｚ[N]を各制御線１６に出力する。水平走査期間Ｈ[m]にて第ｎ列の信号線１４に供給される階調信号Ｘ[n]は、第ｍ行の第ｎ列の画素回路ＰIXにおける液晶素子５０について階調ＧW（白表示）および階調ＧB（黒表示）の何れかを指定する電圧信号であり、正側階調電位ＶDATA[+]および負側階調電位ＶDATA[-]の何れかに設定される。水平走査期間Ｈ[m]にて第ｎ列の制御線１６に供給される制御信号Ｚ[n]は、第ｍ行の第ｎ列の画素回路ＰIXにおける第１制御スイッチＴC1の状態（オン状態／オフ状態）を指定する電圧信号であり、オン電圧ＶONおよびオフ電圧ＶOFFの何れかに設定される。
【００３６】
図５は、信号線駆動回路３４のブロック図である。図５に示すように、信号線駆動回路３４は、分配回路６２と出力回路６４とを含んで構成される。分配回路６２は、第ｍ行のＮ個の画素回路ＰIXに対応する階調データＤ[1]〜Ｄ[N]を画像信号ＶIDから生成して各水平走査期間Ｈ[m]にて並列に出力する回路である。水平走査期間Ｈ[m]にて分配回路６２から出力される階調データＤ[n]は、第ｍ行の第ｎ列に位置する画素回路ＰIXの液晶素子５０について階調ＧW（白表示の電圧ＶA）または階調ＧB（黒表示の電圧ＶB）の何れかを指定するデータである。
【００３７】
図５に示すように、分配回路６２は、選択回路６２１と第１ラッチ回路６２３と第２ラッチ回路６２５とを含んで構成される。選択回路６２１は、各水平走査期間Ｈ[m]内にＮ系統の選択信号ＳEL[1]〜ＳEL[N]を順次にアクティブに設定する。例えば、開始パルスを順次に転送するＮ段のシフトレジスタが選択回路６２１として採用される。第１ラッチ回路６２３は、選択信号ＳEL[1]〜ＳEL[N]の各々（ＳEL[n]）がアクティブに設定された時点で制御回路４４から供給されている画像信号ＶIDを階調データＤ[n]として出力および保持する。すなわち、階調データＤ[1]〜Ｄ[N]が点順次で第１ラッチ回路６２３から並列に出力される。第２ラッチ回路６２５は、第１ラッチ回路６２３が出力する階調データＤ[1]〜Ｄ[N]を水平走査期間Ｈ[m]毎に一斉に出力（線順次出力）および保持する。
【００３８】
出力回路６４は、階調信号Ｘ[1]〜Ｘ[N]と制御信号Ｚ[1]〜Ｚ[N]とを階調データＤ[1]〜Ｄ[N]に応じて生成して出力する。図５に示すように、出力回路６４は、画素回路ＰIXの列数に相当するＮ個の単位回路Ｕ[1]〜Ｕ[N]を含んで構成される。第ｎ段目の単位回路Ｕ[n]は、分配回路６２が出力する階調データＤ[n]に応じて階調信号Ｘ[n]および制御信号Ｚ[n]を生成して出力する。図５に示すように、単位回路Ｕ[n]は、階調信号Ｘ[n]を生成する電位選択回路６４１と制御信号Ｚ[n]を生成する電位選択回路６４３とを含んで構成される。図６は、電位選択回路６４１および電位選択回路６４３の動作（階調信号Ｘ[n]および制御信号Ｚ[n]の電位の設定）を説明するための図表である。
【００３９】
図５の電位選択回路６４１は、電位生成回路４２が生成した正側階調電位ＶDATA[+]および負側階調電位ＶDATA[-]の何れかを階調データＤ[n]および極性信号ＳPに応じて選択して階調信号Ｘ[n]として信号線１４に出力する。具体的には、電位選択回路６４１は、階調データＤ[n]で指示される階調（ＧW，ＧB）に対応した電圧（ＶA，ＶB）が液晶素子５０に印加されるように、階調信号Ｘ[n]の電位を正側階調電位ＶDATA[+]および負側階調電位ＶDATA[-]の何れかに設定する。
【００４０】
例えば、極性信号ＳPが正極性を指示する単位期間Ｆ（共通電位LCCOMが低位側電位ＶLに設定される期間）では、電位選択回路６４１は、図６に示すように、階調データＤ[n]が階調ＧWを指示する場合には正側階調電位ＶDATA[+]を選択し、階調データＤ[n]が階調ＧBを指示する場合には負側階調電位ＶDATA[-]を選択する。他方、極性信号ＳPが負極性を指示する単位期間Ｆ（共通電位LCCOMが高位側電位ＶHに設定される期間）では、電位選択回路６４１は、階調データＤ[n]が階調ＧWを指示する場合には負側階調電位ＶDATA[-]を選択し、階調データＤ[n]が階調ＧBを指示する場合には正側階調電位ＶDATA[+]を選択する。
【００４１】
図５の電位選択回路６４３は、電位生成回路４２が生成したオン電位ＶONおよびオフ電位ＶOFFの何れかを階調データＤ[n]に応じて選択して制御信号Ｚ[n]として制御線１６に出力する。具体的には、電位選択回路６４３は、図６に示すように、階調データＤ[n]が階調ＧW（電圧ＶA）を指示する場合にはオン電位ＶONを選択し、階調データＤ[n]が階調ＧB（電圧ＶB）を指示する場合にはオフ電位ＶOFFを選択する。
【００４２】
次に、図７から図１２を参照して電気光学装置１００の動作を説明する。共通電位LCCOMが低位側電位ＶLに設定される単位期間Ｆ（図７〜図９）と高位側電位ＶHに設定される単位期間Ｆ（図１０〜図１２）との各々について、階調データＤ[n]が階調ＧBを指示する場合（図８，図１１）と階調ＧWを指示する場合（図９，図１２）との動作を以下では説明する。なお、以下では第ｍ行の第ｎ列の画素回路ＰIXに着目して動作を説明する。素子部１０内の各画素回路ＰIXについて同様の動作が実行される。
【００４３】
また、以下では、図７や図１０に示すように、非選択電位ＶSEL_OFFと低位側電位ＶLと負側階調電位ＶDATA[-]とオフ電位ＶOFFとを基準（０Ｖ）として、高位側電位ＶHと正側階調電位ＶDATA[+]とを５Ｖに設定し、オン電位ＶONを７Ｖに設定し、選択電位ＶSEL_ONを９Ｖに設定した場合を例示する。画素回路ＰIXの各スイッチ（ＴSL，ＴC1，ＴC2）の閾値電圧は２Ｖ以下と仮定する。なお、階調ＧB（黒表示）に対応する電圧ＶBは０Ｖであるが、極性信号ＳPが正極性を指示する単位期間Ｆで液晶素子５０に印加される電圧＋ＶBと、極性信号ＳPが負極性を指示する単位期間Ｆで液晶素子５０に印加される電圧−ＶBとを便宜的に区別する。
【００４４】
［Ａ］極性信号ＳPが正極性を指示する単位期間Ｆ（図７〜図９）
［Ａ１］階調データＤ[n]が階調ＧB（黒表示）を指示する場合（図８）
極性信号ＳPが正極性を指示する単位期間Ｆでは、図７に示すように、共通電位LCCOMが低位側電位ＶLに設定されるとともに反転用電位LCCOMXが高位側電位ＶHに設定される。また、階調データＤ[n]が階調ＧBを指示するから、水平走査期間Ｈ[m]では、図８の部分(A)に示すように、信号線１４の階調信号Ｘ[n]が共通電位LCCOM（低位側電位ＶL）と同電位の負側階調電位ＶDATA[-]に設定され、制御線１６の制御信号Ｚ[n]がオフ電位ＶOFFに設定される。
【００４５】
図７に示すように、水平走査期間Ｈ[m]では、走査信号Ｙ[m]が選択電位ＶSEL_ONに設定されることで選択スイッチＴSLおよび第２制御スイッチＴC2がオン状態に遷移する。したがって、画素電極５２の電位ＶPは、図７の部分(i)および図８の部分(A)に示すように、選択スイッチＴSLを介して信号線１４から供給される負側階調電位ＶDATA[-]（低位側電位ＶL）に設定される。共通電極５４の共通電位LCCOMは低位側電位ＶLに維持されるから、図８の部分(A)に示すように、液晶素子５０の両電極間には電圧＋ＶB（０Ｖ）が印加される。したがって、液晶素子５０は階調ＧB（黒表示）に制御される。他方、第１制御スイッチＴC1のゲートには第２制御スイッチＴC2を介して制御線１６からオフ電位ＶOFFが供給される。したがって、第１制御スイッチＴC1はオフ状態に制御される。すなわち、画素電極５２と反転用電位線２４とは電気的に絶縁される。
【００４６】
画素電極５２の電位ＶPは保持容量ＣSで保持され、制御線１６から供給されたオフ電位ＶOFFは制御用容量Ｃ1で保持される。したがって、図８の部分(B)に示すように、水平走査期間Ｈ[m]が経過して走査信号Ｙ[m]が非選択電位ＶSEL_OFFに変化した以後も、液晶素子５０の印加電圧は電圧＋ＶBに維持され、第１制御スイッチＴC1はオフ状態に維持される。以上の動作が単位期間Ｆ内の各サブフィールドＳFにて順次に実行される。
【００４７】
図７に示すように、単位期間Ｆの経過後の反転期間Ｗでは、共通電位LCCOMが低位側電位ＶLから高位側電位ＶHに変化するとともに反転用電位LCCOMXが高位側電位ＶHから低位側電位ＶLに変化する。他方、水平走査期間Ｈ[m]の経過後には選択スイッチＴSLおよび第１制御スイッチＴC1がオフ状態に制御されることで画素電極５２は電気的なフローティング状態に維持される。画素電極５２は保持容量ＣSを介して共通電位線２２に容量結合するから、画素電極５２の電位ＶPは、反転期間Ｗ内の保持容量ＣSの電極ＥA2の電位（共通電位LCCOM）に連動して変化する。画素電極５２の電位ＶPの変化量は、共通電位LCCOMの変化量と略同等である。すなわち、図７の部分(i)や図８の部分(C)に示すように、画素電極５２の電位ＶPは、反転期間Ｗの開始前の低位側電位ＶLから高位側電位ＶHに変化して維持される。したがって、液晶素子５０の印加電圧は、共通電極５４の共通電位LCCOMの変化後の高位側電位ＶHと画素電極５２の変化後の高位側電位ＶHとに対応する負極性の電圧−ＶB（０Ｖ）に設定される。以上のように、液晶素子５０の階調は、反転期間Ｗ内での共通電位LCCOMの変化の前後にわたって階調ＧB（黒表示）に維持される。他方、第１制御スイッチＴC1はオフ状態を維持するから、反転期間Ｗ内での反転用電位LCCOMXの変化は画素電極５２の電位ＶPに影響しない。
【００４８】
［Ａ２］階調データＤ[n]が階調ＧW（白表示）を指示する場合（図９）
極性信号ＳPが正極性を指示する単位期間Ｆ（LCCOM＝ＶL）にて階調データＤ[n]が階調ＧWを指示する場合、水平走査期間Ｈ[m]では、図９の部分(A)に示すように、階調信号Ｘ[n]が正側階調電位ＶDATA[+]（すなわち、共通電位LCCOMとは相違する電位）に設定され、制御信号Ｚ[n]がオン電位ＶONに設定される。
【００４９】
したがって、走査信号Ｙ[m]が選択電位ＶSEL_ONに設定される水平走査期間Ｈ[m]では、図９の部分(A)に示すように、正側階調電位ＶDATA[+]が信号線１４から選択スイッチＴSLを介して画素電極５２に供給される。また、第１制御スイッチＴC1のゲートには第２制御スイッチＴC2を介して制御線１６からオン電位ＶONが供給される。反転用電位LCCOMX（第１制御スイッチＴC1のソースの電位）は高位側電位ＶH（５Ｖ）に設定されるが、第１制御スイッチＴC1のゲート−ソース間の電圧が閾値電圧（２Ｖ以下）を上回るようにオン電位ＶON（７Ｖ）が設定されるから、第１制御スイッチＴC1はオン状態に遷移して画素電極５２と反転用電位線２４とが電気的に接続される。すなわち、正側階調電位ＶDATA[+]の信号線１４と反転用電位LCCOMX（高位側電位ＶH）の反転用電位線２４との双方が画素電極５２に接続される。正側階調電位ＶDATA[+]と高位側電位ＶHとは同電位であるから、画素電極５２の電位ＶPは、図７の部分(ii)や図９の部分(A)に示すように高位側電位ＶH（正側階調電位ＶDATA[+]）に設定される。共通電極５４の共通電位LCCOMは低位側電位ＶLに維持されるから、図９の部分(A)のように液晶素子５０の両電極間には正極性の電圧＋ＶA（５Ｖ）が印加される。したがって、液晶素子５０は階調ＧW（白表示）に制御される。
【００５０】
画素電極５２の電位ＶPは保持容量ＣSで保持され、制御信号Ｚ[n]のオン電位ＶONは制御用容量Ｃ1で保持される。したがって、水平走査期間Ｈ[m]の経過後にも、図９の部分(B)に示すように、液晶素子５０の両電極間には引続き電圧＋ＶAが印加され、第１制御スイッチＴC1がオン状態に維持されることで反転用電位線２４から画素電極５２に継続的に反転用電位LCCOMX（高位側電位ＶH）が供給される。以上の動作が単位期間Ｆ内のサブフィールドＳFにて順次に実行される。
【００５１】
図７に示すように、単位期間Ｆの経過後の反転期間Ｗでは、共通電位LCCOMが低位側電位ＶLから高位側電位ＶHに変化するとともに反転用電位LCCOMXが高位側電位ＶHから低位側電位ＶLに変化する。他方、画素電極５２に対する反転用電位LCCOMXの供給（第１制御スイッチＴC1のオン状態）は反転期間Ｗ内でも維持される。すなわち、階調ＧBが指示された場合の反転期間Ｗでは画素電極５２が電気的なフローティング状態に設定されるのに対し、階調ＧWが指示された場合には画素電極５２は反転用電位LCCOMが供給された状態に設定される。したがって、画素電極５２と共通電位線２２（保持容量ＣSの電極ＥA2）との容量結合に起因した電位ＶPの変動は発生せず、画素電極５２の電位ＶPは、図７の部分(ii)や図９の部分(C)に示すように、反転期間Ｗ内にて反転用電位LCCOMXとともに高位側電位ＶHから低位側電位ＶLに変化する。したがって、液晶素子５０の印加電圧は、共通電極５４の共通電位LCCOMの変化後の高位側電位ＶHと画素電極５２の電位ＶPの変化後の低位側電位ＶLとの電位差に相当する負極性の電圧−ＶAに設定される。つまり、液晶素子５０が階調ＧW（白表示）に維持されたまま、反転期間Ｗ内での共通電位LCCOMの変化の前後で液晶素子５０の印加電圧の極性が反転する。
【００５２】
［Ｂ］極性信号ＳPが負極性を指示する単位期間Ｆ（図１０〜図１２）
［Ｂ１］階調データＤ[n]が階調ＧB（黒表示）を指定する場合（図１１）
極性信号ＳPが負極性を指示する単位期間Ｆでは、図１０に示すように、共通電位LCCOMが高位側電位ＶHに設定されるとともに反転用電位LCCOMXが低位側電位ＶLに設定される。また、階調データＤ[n]が階調ＧBを指示する場合、水平走査期間Ｈ[m]では、図１１の部分(A)に示すように、階調信号Ｘ[n]が正側階調電位ＶDATA[+]に設定されるとともに制御信号Ｚ[n]がオフ電位ＶOFFに設定される。
【００５３】
水平走査期間Ｈ[m]にて走査信号Ｙ[m]が選択電位ＶSEL_ONに設定されると、図１０の部分(i)に示すように、画素電極５２の電位ＶPが信号線１４の正側階調電位ＶDATA[+]に変化する。したがって、図１１の部分(A)に示すように、液晶素子５０の印加電圧は、共通電極５４の共通電位LCCOM（高位側電位ＶH）と画素電極５２の正側階調電位ＶDATA［+］とに対応する負極性の電圧−ＶB（０Ｖ）に設定される。すなわち、液晶素子５０は階調ＧB（黒表示）に制御される。他方、第１制御スイッチＴC1はオフ電位ＶOFFの供給でオフ状態に制御されるから、画素電極５２と反転用電位線２４とは電気的に絶縁される。図１１の部分(B)に示すように、水平走査期間Ｈ[m]の経過後も以上の状態が保持される。
【００５４】
図１０に示すように、単位期間Ｆの経過後の反転期間Ｗでは、共通電位LCCOMが高位側電位ＶHから低位側電位ＶLに変化するとともに反転用電位LCCOMXが低位側電位ＶLから高位側電位ＶHに変化する。画素電極５２は電気的なフローティング状態にあるから、画素電極５２の電位ＶPは、図１０の部分(i)に示すように、共通電位線２２の共通電位LCCOMに連動して高位側電位ＶHから低位側電位ＶLに変化して維持される。したがって、液晶素子５０の印加電圧は、図１１の部分(C)に示すように、共通電極５４の低位側電位ＶLと画素電極５２の低位側電位ＶLとに対応する正極性の電圧＋ＶB（０Ｖ）に設定される。すなわち、液晶素子５０の階調は、反転期間Ｗ内の共通電位LCCOMの変化の前後にわたって階調ＧB（黒表示）に維持される。第１制御スイッチＴC1はオフ状態を維持するから、反転期間Ｗ内での反転用電位LCCOMXの変化は画素電極５２の電位ＶPに影響しない。
【００５５】
［Ｂ２］階調データＤ[n]が階調ＧB（黒表示）を指示する場合（図１２）
極性信号ＳPが負極性を指示する単位期間Ｆ（LCCOM＝ＶH）にて階調データＤ[n]が階調ＧWを指示する場合、水平走査期間Ｈ[m]では、図１２の部分(A)に示すように、階調信号Ｘ[n]が負側階調電位ＶDATA[-]に設定される。また、制御信号Ｚ[n]がオン電位ＶONに設定されることで第１制御スイッチＴC1がオン状態に制御される。すなわち、水平走査期間Ｈ[m]では、負側階調電位ＶDATA[-]が信号線１４から画素電極５２に供給されるとともに、反転用電位LCCOMXの低位側電位ＶLが反転用電位線２４から第１制御スイッチＴC1を介して画素電極５２に供給される。したがって、共通電極５４の高位側電位ＶHと画素電極５２の低位側電位ＶL（負側階調電位ＶDATA[-]）との電位差に相当する負極性の電圧−ＶAが液晶素子５０の両電極間に印加され、液晶素子５０は階調ＧW（白表示）に制御される。図１２の部分(B)に示すように、水平走査期間Ｈ[m]の経過後も以上の状態が維持される。
【００５６】
図１０に示すように、反転期間Ｗでは、共通電位LCCOMが高位側電位ＶHから低位側電位ＶLに変化するとともに反転用電位LCCOMXが低位側電位ＶLから高位側電位ＶHに変化する。画素電極５２と反転用電位線２４との接続は反転期間Ｗでも維持されるから、図１０の部分(ii)および図１２の部分(C)に示すように、画素電極５２の電位ＶPは、反転用電位LCCOMXとともに低位側電位ＶLから高位側電位ＶHに変化する。すなわち、液晶素子５０の印加電圧は、共通電位LCCOMの変化後の低位側電位ＶLと画素電極５２の変化後の高位側電位ＶHとの電位差に相当する正極性の電圧＋ＶAに設定される。つまり、液晶素子５０が階調ＧW（白表示）に維持されたまま、反転期間Ｗ内での共通電位LCCOMの変化の前後で液晶素子５０の印加電圧の極性が反転する。
【００５７】
以上に説明したように、第１実施形態においては、共通電位LCCOMが高位側電位ＶHおよび低位側電位ＶLの一方から他方に順次に変動するから、共通電位LCCOMを固定した構成と比較して階調信号Ｘ[n]の振幅（正側階調電位ＶDATA[+]と負側階調電位ＶDATA[-]との電位差）を低減することが可能である。また、階調信号Ｘ[n]の振幅が低減されるから、選択スイッチＴSLの制御に必要となる選択電位ＶSEL_ONも低減される。したがって、走査線駆動回路３２や信号線駆動回路３４に必要となる耐圧性能が低減されるとともに消費電力が削減されるという利点がある。
【００５８】
また、第１実施形態においては、階調ＧWに対応する電圧ＶA（±ＶA）を液晶素子５０に印加した場合に、共通電位LCCOMが変動する反転期間Ｗ内では反転用電位線２４から画素電極５２に反転用電位LCCOMXが供給される。すなわち、反転期間Ｗ内での共通電位LCCOMの変動は画素電極５２の電位ＶPに影響しない。したがって、液晶素子５０を階調ＧWに維持したまま、共通電位LCCOMの変化の前後で液晶素子５０の電圧ＶAの極性を反転させることが可能である。以上の構成では、特許文献２の技術で必要となる放電動作が不要であるから、放電動作に起因したコントラストの低下が抑制されるという利点がある。また、電気光学素子の点灯／消灯を指示するデータを保持する記憶回路を画素回路ＰIXに内蔵する必要はないから、特許文献３の技術と比較して画素回路ＰIXの小型化（さらには表示画像の高精細化）が容易であるという利点もある。また、画素回路ＰIXの構成が簡素化されるから、特許文献３の技術と比較して歩留まりを向上することも可能である。
【００５９】
ところで、液晶素子５０の階調（透過率または反射率）は、図４に実線で図示したように、理想的には、印加電圧が所定の閾値ＶTHを上回ると階調ＧWに飽和する。しかし、実際には図４に鎖線で図示したように、閾値ＶTHを上回る範囲内でも電圧に応じて液晶素子５０の階調が変化する場合がある。したがって、階調ＧWに対応する階調信号Ｘ[n]の供給後に画素電極５２が電気的なフローティング状態に設定される構成では、例えば保持容量ＣSの電流のリークに起因して画素電極５２の電位ＶPが変動した場合に、液晶素子５０の階調が変化する可能性がある。すなわち、液晶素子５０の階調を高精度に設定することが困難である。他方、第１実施形態においては、階調ＧWに対応する電圧ＶAの印加後に画素電極５２の電位ＶPが反転用電位LCCOMXに維持される。したがって、図４の鎖線で示した特性の液晶素子５０を採用した場合でも、液晶素子５０の階調（動作点）を高精度に設定できるという利点がある。
【００６０】
＜Ｂ：第２実施形態＞
図１３は、本発明の第２実施形態に係る電気光学装置１００の画素回路ＰIXの回路図である。第２実施形態の画素回路ＰIXは、第１実施形態の画素回路ＰIXから容量線２６を省略するとともに制御用容量Ｃ2を追加した構成である。第２実施形態のうち作用や機能が第１実施形態と同等である要素については詳細な説明を省略する。
【００６１】
図１３に示すように、制御用容量Ｃ1は、第１制御スイッチＴC1のゲートと第ｍ行の反転用電位線２４との間に介在する。すなわち、電極ＥB1は第１制御スイッチＴC1のゲートに接続され、電極ＥB2は反転用電位線２４に接続される。他方、制御用容量Ｃ2は、第１制御スイッチＴC1のゲートと第ｍ行の共通電位線２２との間に介在する。具体的には、制御用容量Ｃ2は、第１制御スイッチＴC1のゲートに接続された電極ＥC1と共通電位線２２に接続された電極ＥC2と両電極間の誘電体とで構成される。
【００６２】
以上のように制御用容量Ｃ1の電極ＥB2には反転用電位LCCOMXが供給され、制御用容量Ｃ2の電極ＥC2には共通電位LCCOMが供給される。共通電位LCCOMと反転用電位LCCOMXとは電位を反転させた関係にある。具体的には、電極ＥB2の反転用電位LCCOMXが高位側電位ＶHおよび低位側電位ＶLの一方から他方に変化するときに電極ＥC2の共通電位LCCOMは逆方向に変化する。したがって、第１制御スイッチＴC1のゲートの電位が電極ＥC2の共通電位LCCOMに連動して変化しようとする作用と電極ＥB2の反転用電位LCCOMXに連動して変化しようとする作用とが相殺される。すなわち、制御用容量Ｃ1と制御用容量Ｃ2との協働で、第１制御スイッチＴC1のゲートの電位を保持する機能（第１実施形態の制御用容量Ｃ1と同様の機能）が実現される。
【００６３】
以上の構成においても第１実施形態と同様の作用および効果が実現される。また、第２実施形態においては、第１実施形態のＭ本の容量線２６が素子部１０から省略されるから、素子部１０の構成が簡素化されるという利点がある。
【００６４】
＜Ｃ：変形例＞
以上の各形態には様々な変形が加えられる。具体的な変形の態様を以下に例示する。以下の例示から任意に選択された２以上の態様は併合され得る。
【００６５】
（１）変形例１  
画素回路ＰIXの構成は適宜に変更される。例えば、以上の各形態では、選択スイッチＴSLと第２制御スイッチＴC2とを共通の走査線１２に接続したが、選択スイッチＴSLと第２制御スイッチＴC2とを別個の配線に接続したうえで相異なる信号で制御する構成も採用される。もっとも、選択スイッチＴSLと第２制御スイッチＴC2とを共通の走査線１２に接続した構成によれば、両者を別個の配線に接続した構成と比較して素子部１０の簡素化（配線数の削減）が実現されるという利点がある。
【００６６】
以上の各形態では共通電位線２２や反転用電位線２４や容量線２６を行毎に独立に形成したが、複数行毎に１本の配線（共通電位線２２，反転用電位線２４，容量線２６）を形成したうえで複数行の各画素回路ＰIXの駆動に共用する構成も採用される。また、液晶素子５０の容量値が充分に確保されるならば保持容量ＣSは省略され得る。さらに、例えば第１制御スイッチＴC1のゲートに付随する容量（例えば第１制御スイッチＴC1のゲート容量や寄生容量）が充分に確保されるならば制御用容量Ｃ1（第２実施形態の制御用容量Ｃ2）は省略され得る。
【００６７】
（２）変形例２  
画素電極５２と共通電極５４との間の電圧がゼロである場合に階調が最高（白色）となるノーマリーホワイトモードの液晶素子５０を採用した電気光学装置１００にも以上の各形態が同様に適用される。すなわち、白色に相当する階調ＧWを階調データＤ[n]が指示する場合（液晶素子５０に電圧±ＶBを印加する場合）の反転期間Ｗでは画素電極５２が電気的なフローティング状態に設定され、黒色に相当する階調ＧBを階調データＤ[n]が指示する場合（液晶素子５０に電圧±ＶAを印加する場合）の反転期間Ｗでは画素電極５２に反転用電位LCCOMXが供給される。すなわち、以上の各形態における駆動方法は、電圧±ＶAを液晶素子５０に印加する場合に第１制御スイッチＴC1をオン状態に制御し（すなわち、画素電極５２と反転用電位線２４とを接続し）、電圧±ＶAとは異なる電圧±ＶBを液晶素子５０に印加する場合に第１制御スイッチＴC1をオフ状態に制御する（すなわち、画素電極５２と反転用電位線２４とを絶縁する）方法として包括される。
【００６８】
（３）変形例３  
以上の各形態では、液晶素子５０に電圧±ＶAを印加した場合に、水平走査期間Ｈ[m]の経過後から次回の水平走査期間Ｈ[m]の開始まで第１制御スイッチＴC1がオン状態に維持される。しかし、共通電位LCCOMに起因した画素電極５２の電位ＶPの変動が顕著となるのは共通電位LCCOMの変動時であるから、共通電位LCCOMの変動時を含む所定の期間（例えば反転期間Ｗ）にて画素電極５２に反転用電位LCCOMXが供給される構成であれば、他の期間における画素電極５２と反転用電位線２４との導通／非導通に関わらず、本発明の所期の効果は実現される。ただし、共通電位LCCOMの変動以外の要因（例えば保持容量ＣSや選択スイッチＴSLでの電流のリーク）に起因した画素電極５２の電位ＶPの変動を防止するという観点からすると、液晶素子５０に電圧±ＶAを印加した場合には、以上の各形態で例示したように反転期間Ｗ以外の期間でも画素電極５２に反転用電位LCCOMXを供給する構成が好適である。
【００６９】
（４）変形例４  
共通電位LCCOMや反転用電位LCCOMXの変動の周期は任意に変更される。例えば、共通電位LCCOMや反転用電位LCCOMXをサブフィールドＳF毎に高位側電位ＶHおよび低位側電位ＶLの一方から他方に変化させる構成（サブフィールドＳFを極性反転の単位期間とした構成）も採用される。
【００７０】
（５）変形例５  
液晶素子５０は電気光学素子の例示である。例えば、電気泳動素子や発光素子（例えば有機ＥＬ素子）を以上の各形態の液晶素子５０に置換した構成も採用される。すなわち、電気光学素子は、電圧（電界）の印加や電流の供給などの電気的な作用に応じて階調（透過率や輝度などの光学的な特性）が変化する被駆動素子として包括される。
【００７１】
＜Ｄ：応用例＞
次に、以上の各態様に係る電気光学装置１００を利用した電子機器について説明する。図１４ないし図１６には、電気光学装置１００を表示装置として採用した電子機器の形態が図示されている。
【００７２】
図１４は、電気光学装置１００を採用した可搬型のパーソナルコンピュータの構成を示す斜視図である。パーソナルコンピュータ２０００は、各種の画像を表示する電気光学装置１００と、電源スイッチ２００１やキーボード２００２が設置された本体部２０１０とを具備する。
【００７３】
図１５は、電気光学装置１００を適用した携帯電話機の構成を示す斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。
【００７４】
図１６は、電気光学装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する電気光学装置１００とを備える。電源スイッチ４００２を操作すると、住所録やスケジュール帳といった様々な情報が電気光学装置１００に表示される。
【００７５】
なお、本発明に係る電気光学装置が適用される電子機器としては、図１４から図１６に例示した機器のほか、プロジェクタ、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【符号の説明】
【００７６】
１００……電気光学装置、１０……素子部、ＰIX……画素回路、１２……走査線、１４……信号線、１６……制御線、２２……共通電位線、２４……反転用電位線、２６……容量線、３０……駆動回路、３２……走査線駆動回路、３４……信号線駆動回路、４２……電位生成回路、４４……制御回路、５２……画素電極、５４……共通電極、５６……液晶、ＴSL……選択スイッチ、ＴC1……第１制御スイッチ、ＴC2……第２制御スイッチ、ＣS……保持容量、Ｃ1，Ｃ2……制御用容量、６２……分配回路、６２１……選択回路、６２３……第１ラッチ回路、６２５……第２ラッチ回路、６４……出力回路、Ｕ[1]〜Ｕ[N]……単位回路、６４１……電位選択回路、６４３……電位選択回路。
【図１】
2011027892.tif 000003
【図２】
2011027892.tif 000004
【図３】
2011027892.tif 000005
【図４】
2011027892.tif 000006
【図５】
2011027892.tif 000007
【図６】
2011027892.tif 000008
【図７】
2011027892.tif 000009
【図８】
2011027892.tif 000010
【図９】
2011027892.tif 000011
【図１０】
2011027892.tif 000012
【図１１】
2011027892.tif 000013
【図１２】
2011027892.tif 000014
【図１３】
2011027892.tif 000015
【図１４】
2011027892.tif 000016
【図１５】
2011027892.tif 000017
【図１６】
2011027892.tif 000018